【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】
レーザ光源からのレーザ光を対物レンズを通して集光させることにより標本上に光スポットを結ばせ、光走査手段により前記光スポットを前記標本上の２次元面内で走査し、前記標本からの光を少なくとも一つの光検出器により検出する走査型レーザ顕微鏡システムにおいて、
前記光走査手段と前記対物レンズの瞳位置が光学的に共役な配置になるように前記レーザ光源のレーザ光の光路に所定の位置関係で配置される瞳投影レンズと結像レンズを有し、
これら瞳投影レンズおよび結像レンズが前記光走査手段とともに一つの走査ユニット内に設けられていることを特徴とする走査型レーザ顕微鏡システム。
【請求項２】
前記光走査手段、瞳投影レンズおよび結像レンズは、前記前記レーザ光源のレーザ光の光路に沿って一直線上に配置されていることを特徴とする請求項１記載の走査型レーザ顕微鏡システム。
【請求項３】
標本を載置するステージ、前記標本からの光を集光して平行光にする対物レンズ、前記対物レンズからの平行光を集光する第１の結像レンズを少なくとも備える顕微鏡本体と、
前記顕微鏡本体に着脱可能に装着される走査ユニットと、
を備える走査型レーザ顕微鏡システムであって、
前記走査ユニットは、レーザ光源からのレーザ光を走査する光走査手段と、前記光走査手段と前記対物レンズの瞳位置とが光学的にほぼ共役になるように配置される瞳投影レンズおよび第２の結像レンズと、少なくとも前記光走査手段と前記瞳投影レンズと前記第２の結像レンズとを一体に支持する支持部材を備え、
前記走査ユニットは、前記対物レンズと前記第１の結像レンズとの間に配置された偏向部材により分岐された光路の光軸と前記第２の結像レンズの光路の光軸とが一致するように前記顕微鏡本体に対して取り付けられることを特徴とする走査型レーザ顕微鏡システム。
【請求項４】
前記走査ユニットは、水銀灯照明ユニットが着脱可能に設けられ、該水銀灯照明ユニットより前記対物レンズを通して前記標本を照明する照明光路と前記レーザ光源のレーザ光の光路を選択的に切替える光路切替手段を有することを特徴とする請求項１乃至３のいずれかに記載の走査型レーザ顕微鏡システム。
【請求項５】
前記走査ユニットは、追加ユニットが着脱可能に設けられ、前記光路切替手段は、さらに前記追加ユニットに対する光路を含めて選択的に切替え可能にしたことを特徴とする請求項４に記載の走査型レーザ顕微鏡システム。
【請求項６】
前記走査ユニットは、追加ユニットが着脱可能に設けられるとともに、該追加ユニットに対する光路を選択的に切替える光路切替手段を有することを特徴とする請求項３に記載の走査型レーザ顕微鏡システム。
【請求項７】
前記追加ユニットは標本からの光を前記光走査手段を経由せずに検出する外部検出器であることを特徴とする請求項５または６に記載の走査型レーザ顕微鏡システム。
【請求項８】
前記追加ユニットはエバネッセント照明装置であることを特徴とする請求項５または６に記載の走査型レーザ顕微鏡システム。
【請求項９】
前記追加ユニットは第２の光走査手段であることを特徴とする請求項５または６に記載の走査型レーザ顕微鏡システム。
【請求項１０】
前記偏向部材は、前記走査ユニット内に設けられることを特徴とする請求項３乃至９のいずれかに記載の走査型レーザ顕微鏡システム。
【請求項１１】
前記偏向部材は、前記走査ユニットの前記支持部材に回転切替可能に支持されていることを特徴とする請求項１０に記載の走査型レーザ顕微鏡システム。
【請求項１２】
前記偏向部材は、前記顕微鏡本体内に設けられることを特徴とする請求項３乃至９のいずれかに記載の走査型レーザ顕微鏡システム。
【請求項１３】
前記顕微鏡本体は正立型であって、前記第１の結像レンズは接眼鏡筒に備えられており、前記走査ユニットは、前記顕微鏡本体と前記接眼鏡筒との間に取り付けられることを特徴とする請求項３乃至１２のいずれかに記載の走査型レーザ顕微鏡システム。
【請求項１４】
前記顕微鏡本体は倒立型であって、前記走査ユニットは、前記顕微鏡本体に落射照明光を導入する落射投光管の代わりに前記顕微鏡本体に取り付けられることを特徴とする請求項３乃至１２のいずれかに記載の走査型レーザ顕微鏡システム。
【請求項１５】
前記標本からの光を透過するピンホールと光検出器とを備えた検出ユニットを、前記走査ユニットに対して着脱可能に備えていることを特徴とする請求項３乃至１４のいずれかに記載の走査型レーザ顕微鏡システム。
【手続補正２】
【補正対象書類名】明細書
【補正対象項目名】００１７
【補正方法】変更
【補正の内容】
【００１７】
請求項５記載の発明は、請求項４記載の発明において、前記走査ユニットは、追加ユニットが着脱可能に設けられ、前記光路切替手段は、さらに前記追加ユニットに対する光路を含めて選択的に切替え可能にしたことを特徴としている。
【手続補正３】
【補正対象書類名】明細書
【補正対象項目名】００１８
【補正方法】変更
【補正の内容】
【００１８】
請求項６記載の発明は、請求項３に記載の発明において、前記走査ユニットは、追加ユニットが着脱可能に設けられるとともに、該追加ユニットに対する光路を選択的に切替える光路切替手段を有することを特徴としている。
【手続補正４】
【補正対象書類名】明細書
【補正対象項目名】００１９
【補正方法】変更
【補正の内容】
【００１９】
請求項７記載の発明は、請求項５または６に記載の発明において、前記追加ユニットは標本からの光を前記光走査手段を経由せずに検出する外部検出器であることを特徴としている。
【手続補正５】
【補正対象書類名】明細書
【補正対象項目名】００２０
【補正方法】変更
【補正の内容】
【００２０】
請求項８記載の発明は、請求項５または６に記載の発明において、前記追加ユニットはエバネッセント照明装置であることを特徴としている。
【手続補正６】
【補正対象書類名】明細書
【補正対象項目名】００２１
【補正方法】変更
【補正の内容】
【００２１】
請求項９記載の発明は、請求項５または６に記載の発明において、前記追加ユニットは第２の光走査手段であることを特徴としている。
【手続補正７】
【補正対象書類名】明細書
【補正対象項目名】００２２
【補正方法】変更
【補正の内容】
【００２２】
請求項１０記載の発明は、請求項３乃至９のいずれかに記載の発明において、前記偏向部材は、前記走査ユニット内に設けられることを特徴としている。
【手続補正８】
【補正対象書類名】明細書
【補正対象項目名】００２３
【補正方法】変更
【補正の内容】
【００２３】
請求項１１記載の発明は、請求項１０に記載の発明において、前記偏向部材は、前記走査ユニットの前記支持部材に回転切替可能に支持されていることを特徴としている。
【手続補正９】
【補正対象書類名】明細書
【補正対象項目名】００２４
【補正方法】変更
【補正の内容】
【００２４】
請求項１２記載の発明は、請求項３乃至９のいずれかに記載の発明において、前記偏向部材は、前記顕微鏡本体内に設けられることを特徴としている。
【手続補正１０】
【補正対象書類名】明細書
【補正対象項目名】００２５
【補正方法】変更
【補正の内容】
【００２５】
請求項１３記載の発明は、請求項３乃至１２のいずれかに記載の発明において、前記顕微鏡本体は正立型であって、前記第１の結像レンズは接眼鏡筒に備えられており、前記走査ユニットは、前記顕微鏡本体と前記接眼鏡筒との間に取り付けられることを特徴としている。
請求項１４記載の発明は、請求項３乃至１２のいずれかに記載の発明において、前記顕微鏡本体は倒立型であって、前記走査ユニットは、前記顕微鏡本体に落射照明光を導入する落射投光管の代わりに前記顕微鏡本体に取り付けられることを特徴としている。
請求項１５記載の発明は、請求項３乃至１４のいずれかに記載の発明において、前記標本からの光を透過するピンホールと光検出器とを備えた検出ユニットを、前記走査ユニットに対して着脱可能に備えていることを特徴とする走査型レーザ顕微鏡システム。